(57)【特許請求の範囲】
【請求項１】
複数の光源からなる発光パネルの前記複数の光源を制御することで照明を行う照明システムであって、
発光パネルが取り付けられている室内の輝度相対分布を記憶する記憶部と、
照度を計測する照度計と、
前記照度計によって計測された照度により輝度を算出する輝度算出部と、
前記輝度算出部で算出された輝度と、前記記憶部に記憶される輝度相対分布と、から現在の輝度分布を算出する輝度分布算出部と、
前記輝度分布算出部を参照して、輝度が均一となるように複数の光源を制御する制御部と、を有することを特徴とする照明システム。
【請求項２】
前記輝度相対分布が日中用のものであることを特徴とする請求項１に記載の照明システム。
【請求項３】
前記輝度相対分布が夜間用のものであることを特徴とする請求項１に記載の照明システム。
【発明の詳細な説明】
【技術分野】
【０００１】
本発明は、発光パネルが設置される部屋の輝度が均一となるように発光パネルを制御することで、明るさ感が確保した照明システムに関する。
【背景技術】
【０００２】
従来、オフィスビル又は住宅などの外光が差し込む部屋に設置される照明装置においては、室内に入射する外光の光量に応じて、照明装置の照度を調整するものが提案されている。
【０００３】
例えば、特許文献１（特開２０１３−１２７９３０号公報）には、照度を調整可能な照明装置と、 前記照明装置による照明エリア内の照度を計測する照度センサと、 前記照度センサによる計測照度を示す照度情報信号に基づき、前記照明装置に、該照明装置の照度を制御するための制御信号を送出する照明制御装置と、を備えた照明制御システムにおいて、 前記照度センサは、前記照明制御装置に前記照度情報信号を送出する照度情報送出
部を有し、 前記照度情報送出部は、前記照度情報信号を所定の時間間隔で定期的に送出
すると共に、前記計測照度の変化が所定条件を満たすときにも前記照度情報信号を送出することを特徴とする照明制御システムが開示されている。
【特許文献１】特開２０１３−１２７９３０号公報
【発明の概要】
【発明が解決しようとする課題】
【０００４】
ところで、近年、複数の光源からなる発光パネルを、壁面のほぼ全面に設置した照明システムが提案されているが、発光パネルを壁面に設置した場合、壁と天井の入隅近傍や昼間の昼光が届きにくい部屋奥の天井や壁の暗い部分が発生してしまい、快適性が減ぜられてしまう、という問題があった。
【課題を解決するための手段】
【０００５】
この発明は、上記課題を解決するものであって、請求項１に係る発明は、複数の光源からなる発光パネルの前記複数の光源を制御することで照明を行う照明システムであって、発光パネルが取り付けられている室内の輝度相対分布を記憶する記憶部と、照度を計測する照度計と、前記照度計によって計測された照度により輝度を算出する輝度算出部と、前記輝度算出部で算出された輝度と、前記記憶部に記憶される輝度相対分布と、から現在の輝度分布を算出する輝度分布算出部と、前記輝度分布算出部を参照して、輝度が均一となるように複数の光源を制御する制御部と、を有することを特徴とする。
【０００６】
また、請求項２に係る発明は、請求項１に記載の照明システムにおいて、前記輝度相対分布が日中用のものであることを特徴とする。
【０００７】
また、請求項３に係る発明は、請求項１に記載の照明システムにおいて、前記輝度相対分布が夜間用のものであることを特徴とする。
【発明の効果】
【０００８】
本発明に係る照明システムは、輝度相対分布に基づいて、輝度が均一となるように、発光パネルを構成する複数の光源を制御するので、本発明に係る照明システムによれば、壁と天井の入隅近傍や昼間の昼光が届きにくい部屋奥の天井や壁の暗い部分を含めて明るく照明することにより、明るさ感が確保され部屋全体の快適性が向上する。
【図面の簡単な説明】
【０００９】
【図１】本発明の実施形態に係る照明システム１００の設置例を示す図である。
【図２】照明システム１００が設置された部屋１における採光壁部５側から奥壁部６を見た図である。
【図３】本発明の実施形態に係る照明システム１００のブロック図である。
【図４】本発明の実施形態に係る照明システム１００の輝度相対分布を取得する際の構成を示す図である。
【図５】本発明の実施形態に係る照明システム１００における日中輝度相対分布取得処理のフローチャートを示す図である。
【図６】本発明の実施形態に係る照明システム１００における夜間輝度相対分布取得処理のフローチャートを示す図である。
【図７】本発明の実施形態に係る照明システム１００における発光パネル点灯制御処理のフローチャートを示す図である。
【発明を実施するための形態】
【００１０】
以下、本発明の実施の形態を図面を参照しつつ説明する。図１は本発明の実施形態に係る照明システム１００の設置例を示す図である。また、図２は照明システム１００が設置された部屋１における採光壁部５側から奥壁部６を見た図である。すなわち、図２は部屋１において、図１のＡ方向を見た図である。これにより、照明システム１００の発光パネル５０や制御対象外照明１１０、照度計７０の取り付け位置を把握することができる。
【００１１】
以下、本発明に係る照明システム１００の発光パネル５０が部屋１の側壁部７に設置される例に基づき説明するが、本発明に係る照明システム１００の発光パネル５０はこのような設置形態に限定されるわけではない。例えば、本発明に係る照明システム１００の発光パネル５０は、側壁部７に限らず、天井部３などにも設置することが可能である。
【００１２】
部屋１は床部２と天井部３と、床部２と天井部３と間の空間の周囲を囲む採光壁部５と、奥壁部６と、対向する２つの側壁部７とを有している。採光壁部５は不図示の窓が設けられており、日中には外光が入射することが想定されている。
【００１３】
ここで、側壁部７の反射率は、ρであるものとする。なお、側壁部７の反射率ρは、照度計で計測した照度から輝度を求める際に用いられる。詳しいことは後述する。
【００１４】
本発明に係る照明システム１００の発光パネル５０は、部屋１の側壁部７の１つに取り付けられている。また、照明システム１００が制御対象としない制御対象外照明１１０が天井部３に設けられており、夜間になるとこれが点灯するように構成されている。
【００１５】
図１の点線で囲まれた部分は、発光パネル５０の拡大部を示している。この拡大部に示されているように、発光パネル５０は複数の光源５１がマトリクス状に配置された構成をとっている。なお、光源５１としては、電球、ＬＥＤ、有機ＥＬ発光素子などを用いることができる。
【００１６】
図３は本発明の実施形態に係る照明システム１００のブロック図である。図３において、図３において、制御部３０はＣＰＵ（Ｃｅｎｔｒａｌ Ｐｒｏｃｅｓｓｉｎｇ Ｕｎｉｔ）とＣＰＵ上で動作するプログラムを保持するＲＯＭ（Ｒｅａｄ  Ｏｎｌｙ Ｍｅｍｏｒ
ｙ）とＣＰＵのワークエリアであるＲＡＭ（Ｒａｎｄｏｍ Ａｃｃｅｓｓ Ｍｅｍｏｒｙ）などからなる汎用の情報処理機構である。制御部３０は、図示されている制御部３０と接続される各構成と協働・動作する。
【００１７】
上記のような制御部３０は、発光パネル５０を構成する複数の光源５１の１つ１つの発
光の制御を行うことが可能に構成されている。制御部３０は、各光源５１が発光する際の光量を少なくとも制御する。さらに、これに加え、制御部３０が、各光源５１が発光する際の発光色を制御するようにしてもよい。このように制御部３０が各光源５１の制御を行うことで、発光パネル５０全体として種々の態様での照明を行うことが可能となる。
【００１８】
図３において、スイッチ４０は発光パネル５０により照明を行うか否かをユーザーが操作するものである。スイッチ４０の状態は制御部３０によって検出され、本発明に係る照明システム１００の点灯制御に利用される。
【００１９】
また、計時部６０は時間データを生成し、この時間データを制御部３０に送信する構成となっている。制御部３０は、この時間データに基づいて、現在が日中であるのか、夜間であるのかを判定する。
【００２０】
照度計７０は側壁部７の１つに取り付けられており、取り付けられている側壁部７の位置での照度を計測し、この計測データを制御部３０に送信する。照度計７０により計測されたデータは、制御部３０において、各光源５１の制御に用いられる。
【００２１】
記憶部８０は、後述する輝度相対分布を記憶する構成である。なお、この記憶部８０としては、電源を供給しなくても記憶を保持する不揮発性のものを用いることが好ましい。この記憶部８０には、日中の輝度相対分布と、夜間の輝度相対分布の２つが記憶され、制御部３０が各光源５１の制御を行う際に参照される。
【００２２】
輝度分布取得手段９０は、部屋１の日中の輝度分布や、夜間の輝度分布を取得するものであり、例えば輝度カメラやデジタルカメラなどを用いることができる。この輝度分布取得手段９０は、輝度分布を取得する際にのみ制御部３０に対して接続されているものであり、図３において輝度分布取得手段９０と制御部３０とが点線で結ばれているのは、このことを示している。
【００２３】
本発明に係る照明システム１００では、部屋１の日中の輝度分布や、夜間の輝度分布を取得した後には、これに関連するデータは記憶部８０に記憶させておくようにするため、輝度分布取得手段９０は初期設定の際に用いれば済むので、輝度分布取得手段９０については上記のような運用がなされる。なお、本発明に係る照明システム１００は、このような構成とすることが可能であるため、システムを簡易に構成することができる、というメリットを有している。
【００２４】
次に、上記のような輝度分布取得手段９０を用いて、輝度相対分布を取得する処理などについて説明する。この輝度相対分布は、部屋１の（側壁部７の）輝度分布と照度計で計測される照度との対応関係を示すデータであり、部屋１の（側壁部７の）輝度分布のプロフィールデータである。本発明に係る照明システム１００では、輝度相対分布の日中用のもの、夜間用のものの２種類が用意される。
【００２５】
図４は本発明の実施形態に係る照明システム１００の輝度相対分布を取得する際の構成を示す図である。図４に示されるように、デジタルカメラなどの輝度分布取得手段９０は、発光パネル５０が設けられていない部屋１の側壁部７の輝度分布を測定するようにセットされる。このようにセットされた上で、日中の日中輝度相対分布と、夜間の夜間輝度相対分布とを取得する処理を実行して、記憶部８０にそれぞれの輝度相対分布を記憶する処理を実行する。
【００２６】
まず、夜間輝度相対分布の取得処理について説明する。図５は本発明の実施形態に係る照明システム１００における日中輝度相対分布取得処理のフローチャートを示す図である
。なお、このようなフローチャートは、制御部３０によって実行される。
【００２７】
図５において、ステップＳ１００で、日中輝度相対分布取得処理を開始すると、次のステップＳ１０２では、輝度分布取得手段９０により側壁部７の輝度分布を取得する。
【００２８】
次のステップＳ１０３においては、照度計７０の設置位置での輝度を１としたときの日中輝度相対分布を算出する。日中輝度相対分布は、照度計７０の設置位置での輝度を１としたときの、側壁部７の他の位置における輝度の相対値を示すデータである。
【００２９】
ステップＳ１０４で、日中輝度相対分布を記憶部８０に記憶し、ステップＳ１０５で、日中輝度相対分布取得処理を終了する。
【００３０】
次に、夜間輝度相対分布の取得処理について説明する。図６は本発明の実施形態に係る照明システム１００における夜間輝度相対分布取得処理のフローチャートを示す図である。なお、このようなフローチャートは、制御部３０によって実行される。
【００３１】
図６において、ステップＳ２００で、夜間輝度相対分布取得処理を開始すると、続いて、ステップＳ２０１では、夜間に制御対象外照明１１０を点灯させて、夜間における輝度分布を取得する準備を行う。
【００３２】
次のステップＳ２０３では、輝度分布取得手段９０により側壁部７の輝度分布を取得する。
【００３３】
次のステップＳ２０４においては、照度計７０の設置位置での輝度を１としたときの夜間輝度相対分布を算出する。夜間輝度相対分布は、照度計７０の設置位置での輝度を１としたときの、側壁部７の他の位置における輝度の相対値を示すデータである。
【００３４】
ステップＳ２０５で、夜間輝度相対分布を記憶部８０に記憶し、ステップＳ２０６で、夜間輝度相対分布取得処理を終了する。
【００３５】
次に、以上のように各輝度相対分布を記憶部８０に記憶した後における、本発明に係る照明システム１００の発光パネル５０の点灯制御処理について説明する。図７は本発明の実施形態に係る照明システム１００における発光パネル点灯制御処理のフローチャートを示す図である。なお、このようなフローチャートは、制御部３０によって実行される。また、このフローチャートに係る処理が実行される際には、輝度分布取得手段９０は制御部３０から切り離されている。
【００３６】
図７において、ステップＳ３００で、発光パネル５０の点灯制御処理が開始されると、続いて、ステップＳ３０１に進み、スイッチ４０がオンであるか否かが判定される。ステップＳ３０１における判定がＮＯであると、ステップＳ３０１に戻りループするが、ステップＳ３０１における判定がＹＥＳとなると、ステップＳ３０２に進む。
【００３７】
ステップＳ３０２では、計時部６０から時間データを取得し、ステップＳ３０３では、当該時間データに基づいて、現在が日中であるか否かが判定される。ステップＳ３０３における判定がＹＥＳであれば、ステップＳ３０４に進み、記憶部８０から日中輝度相対分布を取得し、ステップＳ３０３における判定がＮＯであれば、ステップＳ３０５に進み、記憶部８０から夜間輝度相対分布を取得する。
【００３８】
ステップＳ３０６では、照度計７０から照度Ｅ（ｌｘ）の計測データを取得する。
【００３９】
続く、ステップＳ３０７では、照度Ｅ（ｌｘ）と側壁部７の壁面の反射率ρから、輝度Ｌ（ｃｄ／ｍ2）を
Ｌ＝（ρＥ）／π
により算出する。
【００４０】
ステップＳ３０８では、求められた輝度Ｌと、輝度相対分布とに基づいて、側壁部７壁面の現在の輝度分布を算出する。
（現在の輝度分布）＝（輝度Ｌ）×（日中又は夜間の輝度相対分布）
によって求めることができる。
【００４１】
ステップＳ３０９では、上記の（現在の輝度分布）に基づいて、側壁部７の壁面を均一の輝度にするように発光パネル５０の各光源５１の発光を制御する。この制御では、（現在の輝度分布）で輝度が足りない位置に相当する光源５１についてはより発光光量を高める制御を行い、壁面全体として均一の輝度となるような制御を実行する。なお、目標輝度は輝度分布における最大輝度とする。
【００４２】
ステップＳ３１０では、スイッチ４０がオフされたか否かが判定される。この判定がＮＯであれば、ステップＳ３０１に戻る。
【００４３】
一方、ステップＳ３１０の判定がＹＥＳとなると、ステップＳ３１１に進み、発光パネル５０の点灯制御処理を終了する。
【００４４】
以上のように、本発明に係る照明システム１００は、輝度相対分布に基づいて、輝度が均一となるように、発光パネル５０を構成する複数の光源５１を制御するので、本発明に係る照明システム１００によれば、壁と天井の入隅近傍や昼間の昼光が届きにくい部屋奥の天井や壁の暗い部分を含めて明るく照明することにより、明るさ感が確保され部屋全体の快適性が向上する。
【符号の説明】
【００４５】
１・・・部屋
２・・・床部
３・・・天井部
５・・・採光壁部
６・・・奥壁部
７・・・側壁部
３０・・・制御部
４０・・・スイッチ
５０・・・発光パネル
５１・・・光源
６０・・・計時部
７０・・・照度計
８０・・・記憶部
９０・・・輝度分布取得手段
１００・・・照明システム
１１０・・・制御対象外照明
【図１】
0006372701.tif 000002
【図２】
0006372701.tif 000003
【図３】
0006372701.tif 000004
【図４】
0006372701.tif 000005
【図５】
0006372701.tif 000006
【図６】
0006372701.tif 000007
【図７】
0006372701.tif 000008